(57)【要約】  【課題】  安定した状態での持ち運びが必要な商品や、傷付き易い商品、更に長尺商品を持ち運ぶ場合であっても、商品を安定して持ち運べると共に、長尺な商品によって袋内に無用な空間が生じることがなく、商品を効率よく収納して持ち運ぶことができる買物袋を提供する。  【解決手段】  提げ手を備えた袋本体１の内部に、商品を載承支持する商品載せ部材３を、該袋本体の収納空間の一部を覆って架設配置／架設解除自在に設けた。  【選択図】      図１
2008132233.tif 000002
【特許請求の範囲】
【請求項１】
提げ手を備えた袋本体の内部に、商品を載承支持する商品載せ部材を、該袋本体の収納空間の一部を覆って架設配置／架設解除自在に設けたことを特徴とする買物袋。
【請求項２】
前記商品載せ部材は、前記収納空間を横切って架設され、その商品載せ部材の一端は前記袋本体に固定され、他端は前記袋本体に対して着脱可能な係着手段を有する自由端であることを特徴とする請求項1記載の買物袋。
【請求項３】
前記商品載せ部材は、商品を載せた時下方に向けて撓む可撓性材で形成されていることを特徴とする請求項1又は２記載の買物袋。
【請求項４】
前記商品載せ部材は、袋本体の底部からの高さ位置を上下調整し得る可変手段を有することを特徴とする請求項１乃至３の何れか１項記載の買物袋。
【請求項５】
前記可変手段は、前記商品載せ部材の自由端と袋本体との係着部に備えられていることを特徴とする請求項４記載の買物袋。
【請求項６】
前記袋本体は、前記商品載せ部材の架設状態で、収納空間を覆わない位置に、長尺物固定手段を有することを特徴とする請求項１乃至５の何れか１項記載の買物袋。
【請求項７】
前記商品載せ部材の自由端側の係着手段は、該商品載せ部材の幅方向に間隔をおいて複数設けられ、その複数の係着手段相互で区画される空間が長尺物の収容空間となることを特徴とする請求項２記載の買物袋。
【請求項８】
前記商品載せ部材は、外周縁に落下防止縁を有することを特徴とする請求項１乃至７の何れか１項記載の買物袋。
【発明の詳細な説明】
【技術分野】
【０００１】
本発明はスーパーマーケットや商店等で買い物をした際、その購入した商品を入れる買物袋に関する。
【背景技術】
【０００２】
近年、環境問題を考慮し、スーパーマーケット等では買い物時にビニール袋の提供を止め、お客様に買物袋を持参してもらう運用がなされようとしている。勿論、スーパーマーケットや商店はビニール袋の提供は継続していても、お客様自身が買物袋を持参し、「ビニール袋は要りません」と断っているケースも多く見受けられる。
【０００３】
しかし、従来の買物袋は単に提げ手が付いた袋（例えば、特許文献１参照）であるため、例えば、トレイに盛った刺身やパックに入ったイチゴ、桃、卵等、傾けたくない商品や当たって傷みやすい或いは割れやすい商品は、他の買物商品を袋に詰めた後、一番上の方に置くようにしているが、上に置いたとしても、置く場所は殆ど平らでなく凸凹している為、前記した商品は傾いて移動し、刺身であれば盛り付け状態が崩れ、桃等のやわらかい商品は他の商品と接触し、傷付くといった虞れがある。
【０００４】
又、葱やフランスパン等の長尺な商品を合わせて購入したような場合、そのような長尺の商品は買物袋に斜めにして入れるようになり、袋内の収納スペースをそれらがとってしまうため、他の商品を袋に詰めにくくなり、加えて前記した刺身やイチゴ等を袋の上の方に置く場合、長尺な商品が袋内に斜めに入れてあるとこれが邪魔して、前記刺身やイチゴを安定した位置に置くことができないという問題があった。
【０００５】
【特許文献１】実開平５−７６３１８号公報
【発明の開示】
【発明が解決しようとする課題】
【０００６】
本発明は上記した従来の問題点に鑑みてなされたもの、その目的とするところは、安定した状態での持ち運びが必要な商品や、傷付き易い商品、更に長尺商品を持ち運ぶ場合であっても、商品を安定して持ち運べると共に、長尺な商品によって袋内に無用な空間が生じることがなく、商品を効率よく収納して持ち運ぶことができる買物袋を提供することにある。
【課題を解決するための手段】
【０００７】
上記目的を達成する為に本発明が講じた技術的手段は、提げ手を備えた袋本体の内部に、商品を載承支持する商品載せ部材を、該袋本体の収納空間の一部を覆って架設配置／架設解除自在に設けたことを特徴とする（請求項１）。
上記袋本体を構成する材質は、布地に限らず、合成樹脂製シートでもよい。又、袋本体の形状は、平面視略方形に限らず、平面視円形などでもよく、更に袋本体は底部の周縁に周壁が鉛直方向に連設形成された形態、周壁部材の端部(下端)を閉じた形態等、襠付き、襠なしの何れでもよい。
【０００８】
上記商品載せ部材は、袋本体と同じ材質、例えば、商品を載せた時下方に向けて撓む布地、合成樹脂製シート等の可撓性材（請求項３）、あるいは異なる材質、例えばメッシュ生地等、何れでもよく、その平面視形状も矩形に限らず、多角形、円形等、任意である。
また、上記商品載せ部材は袋本体の収納空間の一部を覆って配置するが、その一部とは袋本体の周壁の一方側に寄せる形態、袋本体の略中央部に位置させる形態等、何れでもよく、要は商品載せ部材で覆われない上下方向が連通する収納空間が形成される取り付け位置であればよい。
更に、袋本体内の高さ方向における前記商品載せ部材を架設する位置は、袋本体の上端寄りに限定されず、高さ方向の中程位置でもよいが、架設形成する商品載せ部材より下方の収納空間をできるだけ多く確保する為には、少なくとも高さ方向の中程位置より上方に架設形成するのが有効である。
そして、前記商品載せ部材は袋本体の内部に架設し、或いは架設状態を解除可能に設けられている。
【０００９】
上記手段によれば、商品載せ部材を架設することで、袋本体の内部に収納空間の一部を覆うように商品載せ部を形成でき、これにより安定した商品載せ部を確保できる。従って、傾くことで商品の形態が崩れたり、傷んだりする商品を安定良く置くことができる。又、前記商品載せ部材は収納空間の一部を覆うように架設される為、架設以外の領域は収納空間が袋本体の開口部まで連通状態となり、よって、同空間に葱やフランスパン等の長尺な商品を立てて収納することができる。更に、前記商品載せ部材は、袋本体に対して架設配置／架設解除自在に設けられているため、購入した商品の内容に応じて商品載せ部を形成し、或いは商品載せ部を解除することができる。
【００１０】
上記商品載せ部材は、袋本体の内部に架設配置／架設解除自在であるが、その形態としては、例えば、商品載せ部材の一端を袋本体に固定し、商品載せ部材の他端は袋本体に対して着脱可能な係着手段を有する自由端とする構成（請求項２）、或いは前記商品載せ部材を中央部で左右二分割し、その分割した両部材を着脱可能な連結手段（ベルベット式ファスナ、クリップ、ボタン等）で連結するなどしてもよい。
着脱可能な係着手段は、例えば、ベルベット式ファスナ（マジックテープ（登録商標）、面ファスナと呼ばれている）、紐、クリップ、フック、ボタン、スライド式ファスナ（チャック）等、何れでもよい。
【００１１】
上記手段によれば、購入した商品に応じて商品載せ部材を架設する、架設しないを自由に選択することができる。そして、架設しない場合、商品載せ部材は一部が袋本体と連結された袋本体内に収まっている為、商品載せ部を架設しようとした時、商品載せ部材を紛失していて架設できないということを解消できる。
【００１２】
又、前記商品載せ部材には袋本体内に架設配置した時、袋本体の底部からの高さを上下調整し得る可変手段を設けてもよい（請求項４）。
その可変手段としては、例えば、接合係着する位置を変えることで長さを可変できるベルベット式ファスナ、或いはバックルタイプのベルト通し輪、ボタン等、今日、長さを長短可変する手段として採用される部材を使用することができる。
又、その可変手段の取り付け位置としては、袋本体と商品載せ部材との連結部、或いは二分割した商品載せ部材における中央の連結手段等、何れの箇所でも良いが、特に前記商品載せ部材の自由端と袋本体との係着部に設けると有効である（請求項５）。
【００１３】
上記手段によれば、袋本体に収容する買物した商品の量に応じて商品載せ部材の位置を高低調節できる。それにより、買物の量が多くても、或いは少ない場合でも、前記商品載せ部材を安定して架設配置することができる。そして、その可変手段の取り付け位置が商品載せ部材の自由端と袋本体との係着部である場合は、簡単に調整することができる。
【００１４】
更に、前記袋本体は、前記商品載せ部材の架設状態で、収納空間を覆わない位置に、長尺な商品を略鉛直に立てた状態で固定する固定手段を装備してもよい（請求項６）。
前記長尺な商品を略鉛直に立てた状態で固定する固定手段としては、バンド状をなしたベルベット式ファスナ、バンド、紐等何れでもよい。
【００１５】
上記手段によれば、商品載せ部材で覆われない上下連通する空間が存在する為、その空間に葱や大根、フランスパン等を立てて収容することができる。そして、その鉛直に立てた商品を袋本体に取り付けた固定手段で固定できる為、立てた商品が倒れるのを抑えて安定よく収納できる。
【００１６】
又、長尺な商品を立てた状態で収納する空間は、前記した袋本体の周壁と商品載せ部材の外周縁とで区画される空間に限らず、前記商品載せ部材の自由端に取り付けた係着手段によって形成してもよい。例えば、前記係着手段を商品載せ部材の幅方向に間隔をおいて複数設け、その複数の係着手段相互で区画される空間を長尺物の収容空間とする（請求項７）。
【００１７】
更に、前記商品載せ部材は、外周縁も含めて全体をフラットに形成してもよいが、外周縁に落下防止縁を形成してもよい（請求項８）。落下防止縁を設ける位置は、商品載せ部材の外周全体、或いは商品載せ部材の外周縁の一部、例えば袋本体に対して係着される方向と交差する方向（幅方向の両側縁）等でもよい。
上記手段によれば、商品載せ部材に載せた商品が載せ部材上から滑り落ちるのを防止でき、安心して持ち運ぶことができる。更に、該落下防止縁は商品載せ部材の外周縁と袋本体の周壁とで区画される長尺物の収納空間に収容される長尺物の起立支持にも貢献し、安定よく起立支持できる。
【発明の効果】
【００１８】
本発明の買物袋は請求項1記載の構成により、袋本体内の収納空間の一部を覆うように商品載せ部を架設形成できるので、この商品載せ部の上に、形態が不安定な商品を置くことができ、同時に商品載せ部材が架設される以外の収納空間は袋の開口側に向かって連通状となる為、該空間には葱や大根、フランスパン等の長尺な商品を立てて収納することができる。従って、長尺な商品を袋に斜めに傾けて収納した場合と比べて、長尺な商品の収納スペースは少なくてよく、袋内の収納空間を効率よく活用でき、他の商品も収納しやすくなり、長尺な商品と不安定な商品や傷付きやすい商品の両方を安定した状態で持ち運ぶことが可能となる。又、前記商品載せ部材は、架設／架設解除自在に設けてあるため、買物した商品の内容に応じて商品載せ部を架設配置することができる。
【００１９】
そして、請求項２記載の構成により、前記商品載せ部材は必要に応じて架設配置でき、且つ商品載せ部材が袋本体から分離することがないため、紛失せず、必要な時確実に商品載せ部を架設形成することができる。
又、請求項３記載の構成により、商品載せ部材は上に置いた商品によって下方に撓んで商品の周りを囲むように安定よく支持し、安心して持ち運ぶことができる。
更に、請求項４記載の構成により、袋本体に収納する買物の量に応じて商品載せ部材の架設高さ位置を可変することができるため、買物の量が多くても、少なくても、安定した商品載せ部を架設配置することができる。
また、請求項５記載の構成により、前記商品載せ部材の架設高さの調整を簡単に行うことができる。
【００２０】
そして、請求項６記載の構成により、葱や大根、フランスパン等の長尺な商品を、袋の収納空間を効率よく活用して安定して確実に収納することができる。
また、請求項７記載の構成により、商品載せ部材を架設配置する操作によって前記長尺な商品を収納する空間を区画形成できる為、非常に便利であると共に、長尺な商品を支持するための専用部材（固定手段）を不要にすることができる。
さらに、請求項８記載の構成により、商品載せ部材の外周縁に落下防止縁が設けられているので、架設配置した商品載せ部の上に載った商品が該載せ部から滑り落ちるのを防止できる。従って、安心して持ち運ぶことができる。
【発明を実施するための最良の形態】
【００２１】
以下、本発明の実施の形態の一例を図面に基づいて説明する。
図１は本発明に係る買物袋Ａを示す斜視図で、図中、１は袋本体で、上部外周面には開口部を挟んで提げ手２，２’が取り付けられ、袋本体１の内部には収納空間の一部（図面は両側部を除く中央部）を覆う商品載せ部材３が架設配置され、更に前記商品載せ部材３が覆っていない領域には長尺な商品Ｗを立てた状態で保持する固定手段４が袋本体１の周壁内側に装備されている。
【００２２】
袋本体１は、今日の買物袋の構成素材として一般的に使用されている素材、例えば布地を所定の形状に裁断し、裁断した布地を縫着して上部が開口した平面視略小判形（楕円形）の袋形状に構成されている。又、袋本体１は、底部及び周壁に襠を設けて形成してもよいものである。
袋本体１の上部に装備する提げ手２，２’は、図示するようにバンド様の部材の両側端を袋本体１の上部周壁に縫着固定して逆Ｕ字状に形成した形態に限らず、他の形態でもよいものである。例えば、提げ手２，２’を袋本体１の左右端に位置させ、提げ手２，２’を肩に掛けることができるくらい長くしてもよい。
【００２３】
前記商品載せ部材３は、商品を載せた時下方に向けて撓む可撓性素材、例えば袋本体１を構成する素材と同じ素材（布地）を用いて、袋本体１の平面視領域の一部（図面では袋本体の両側を除く中央部）を覆う平面視矩形状に形成され、長辺の一方３ａが前記袋本体１の周壁内面に縫着され、長辺の他方３ｂには前記袋本体１に対して着脱可能な係着手段５が取り付けられた自由端が構成されている。
【００２４】
前記係着手段５は、図３に示すように、帯状のバンド６と、そのバンド６の長手方向の一方端に逢着したベルベット式ファスナの一方（例えば、雄部材）５ａとで構成され、この係着手段５が商品載せ部材３の自由端側の長辺３ｂに間隔をおいて縫着固定されている。
前記係着手段５のベルベット式ファスナの一方（雄部材）５ａと係脱するベルベット式ファスナの他方（雌部材）５ｂは、前記商品載せ部材３の長辺３ａが縫着固定された側と対向する袋本体１の周壁内面に縫着固定されている。
それにより、係着手段５のベルベット式ファスナの一方５ａを、袋本体１の周壁に取り付けられたベルベット式ファスナの他方５ｂに係着することで商品載せ部材３を袋本体１内に架設配置（図２の仮想線の状態）することができ、係着手段５をベルベット式ファスナ５ｂから外すことで商品載せ部材３は架設解除（図２の実線の状態）され、袋本体１内に垂れ下がった状態で収容保持される。
尚、前記係着手段５は、図３に示すように商品載せ部材３の長辺３ｂに間隔をおいて取り付けた場合、図６（ａ）に示すように袋本体１の周壁と商品載せ部材３の外周縁と係着手段５とで区画される領域Ｘは長尺な商品Ｗを立てて収容する空間として活用することができる。
【００２５】
前記固定手段４は、袋本体１内に架設配置する商品載せ部材３によって覆われていない領域Ｙ、即ち、袋本体１の収納空間が商品載せ部材３で上下分断されていない領域（収納空間）に立てて収容する長尺な商品（例えば、葱、大根、牛蒡、フランスパン等）Ｗを倒れたりしないように支えるもので、図４、５に示すように、帯状のバンド４ａの一方端を袋本体１の周壁内面に縫着固定し、バンド４ａの開放端側はバンド４ａの縫着箇所に近接して取り付けたリング４ｂに通して折り返し、その折返したバンド４ａの端部にベルベット式ファスナの一方（雄部材）４ｃを、更にバンド４ａの長さ方向の中程の外側面にベルベット式ファスナの他方（雌部材）４ｄが縫着固定されて構成されている。
それにより、バンド４ａの開放端側をリング４ｂに通して折り返すことで、バンド４ａで輪ができ、その輪の大きさは折り返したバンド４ａの解放端側を固定端側に引き締め、ベルベット式ファスナ４ｃ，４ｄを係着することで固定できる。従って、立てて収容する商品のサイズ（太さ）に関係なく縛って起立保持することができる。
【００２６】
上記固定手段４は、袋本体１側に取り付ける構成に限らず、図６（ｂ）に示すように、袋本体１内に架設配置する商品載せ部材３の側部、即ち商品載せ部材３によって覆われていない領域Ｙに臨む側縁に取り付けてもよい。
【００２７】
前記商品載せ部材３は、前示実施例では袋本体１に対して対向する二辺を、一方を固定、他方は自由端としたが、袋本体１内に架設配置する商品載せ部材３の位置を、該商品載せ部材３より下方の収納空間に収納する商品の量に応じて、該商品載せ部材３の架設位置を上下に調節する必要がある。その場合、前示実施例のように、商品載せ部材３の一方を固定し、他方のみを自由端とした場合、商品載せ部材３の架設位置を袋本体１の底部側に下げた時、商品載せ部材３が固定側に偏り、安定した商品載せ部を構成できにくい状況が生じる場合がある。
その為、商品載せ部材３の架設位置を上下調整する場合は、袋本体１に対して商品載せ部材３は全て着脱可能な係着手段の自由端とし、上下調整した何れの状態においても商品載せ部材３を安定した状態に架設できるようにする。
【００２８】
その具体的構成の一例を図７、図８に示すと、商品載せ部材３の対向する二辺（長辺側）に、前示実施例における係着手段５と同じ構成の係着手段７を長尺に形成して取り付ける。即ち、商品載せ部材３にバンド８を縫着連結し、そのバンド８に帯状長尺のベルベットファスナの一方（雄部材）７ａを連結し、袋本体１の周壁内面にはベルベット式ファスナの他方（雌部材）７ｂを縫着固定する。
それにより、図８に示すように、袋本体１のベルベット式ファスナ（雌部材）７ｂに対して商品載せ部材３側の係着手段７におけるベルベット式ファスナ（雄部材）７ａの係着位置を商品載せ部材３寄りとした場合は図８（ａ）に示すように高い位置に架設配置でき、ベルベット式ファスナ（雄部材）７ａの開放端寄りとした場合は図８（ｂ）に示すように低い位置に架設配置することができる。
又、商品載せ部材３に対する係着手段７の取り付けは、図７に仮想線で示すように対向する短辺に取り付けてもよい。
【００２９】
又、商品載せ部材３の架設位置を高低調整する手段としては、前記した構成に限らず、商品載せ部材３に連結する係着手段５（又は７）と袋本体１との着脱可能な係着部に可変手段を設けてもよい。
その可変手段としては、係着手段５（又は７）を構成するバンドの長さを長短可変できるバックル、或いはボタン等の留め具による連結位置の調整等を採用することができる。
【００３０】
更に、前記商品載せ部材３は、一枚物で構成する形態に限定されず、複数枚、例えば二枚で構成してもよいものである。
その一例を図９に示すと、図９（ａ）は平面視矩形状の商品載せ部材９，９’の外側縁を袋本体１の周壁内面に縫着固定し、商品載せ部材９，９’の内側縁同士を係脱可能な止め手段１０で連結する。その止め手段１０としては、スライド式ファスナ、ベルベット式ファスナ、ボタン、クリップ等何れでもよい。
また、図９（ｂ）は（ａ）における商品載せ部材９，９’の内側縁相互間に隙間を設け、一方の商品載せ部材９’に、前示実施例で示した係着手段５と同様、ベルベット式ファスナの一方（雄部材）を備えた連結バンド１１を間隔をおいて固着し、他方の商品載せ部材９に前記連結バンド１１のベルベット式ファスナと係着するベルベット式ファスナの他方（雌部材）１２を固着する。
【００３１】
図１０は商品載せ部材３を袋本体１に対して架設配置する場合の他の取り付け例を示す。前示実施例は、商品載せ部材３の長辺側を袋本体１に対して固定、或いは着脱可能に係着したが、短辺側を袋本体１に対して固定、或いは着脱可能に係着してもよい。
例えば、図１０（ａ）は、商品載せ部材３の短辺の一方３ｃを袋本体１の周壁に縫着固定し、商品載せ部材３によって覆われていない領域Ｙに臨む短辺の他方３ｄに、前示実施例と同様の係着手段１３を連結し、袋本体１に対して係脱自在とする。そして、前記係着手段１３を複数個、短辺に沿い間隔をおいて取り付けた場合は、図１０（ａ）に示すように袋本体１の周壁と商品載せ部材３の外周縁（短辺）と係着手段１３とで区画される領域は長尺な商品Ｗを立てて収容する空間として活用することができる。
【００３２】
図１０（ｂ）は、袋本体１の収納空間を覆う商品載せ部材１４の平面視の大きさを袋本体１の平面視形状と略同じ大きさとし、その商品載せ部材１４の一部に開口部１５が切欠形成されて、該商品載せ部材１４によって覆われない領域が形成されている。そして、該商品載せ部材１４の対向する二辺（図面は短辺）の一方を袋本体１に縫着固定し、他方は着脱可能な係着手段１６によって袋本体１に取り付けられている。尚、商品載せ部材１４に開設する開口部１５の位置は図示する位置に限定されないが、商品載せ部材１４より下方の収納空間に収容する商品を考慮した場合は、袋本体１の側部寄りが有効である。又、商品載せ部材１４を袋本体１に対して係脱可能に取り付ける位置（辺）は長辺側でもよい。
【００３３】
図１１は商品載せ部材３の変形例を示し、商品載せ部材３の外周縁に落下防止縁１７が起立形成されている。落下防止縁１７を取り付ける位置は、袋本体１に対して縫着固定、及び係着手段が装備される自由端以外の側縁（図面では短辺）が有効である。何故ならば、商品載せ部材３の固定端及び自由端の外方には、袋本体１の周壁が起立存在する為、その方向へ商品が移動しても周壁で保護される。しかし、それと直交する方向は商品載せ部材３の端部が開放されている場合は、その方向に移動した商品は滑り落ちるが、この位置に落下防止縁１７が存在することで、商品の落下を防止できる。
【００３４】
前記した実施例における商品載せ部材は平面視の形状が略矩形状であるが、平面視の形状は矩形に限定されず、例えば、図１２に示すような異形形状でもよい。即ち、略矩形の本体１８の短辺側に突片１９を突設し、本体１８の長辺側と前記突片１９に係着手段２０を取り付け自由端とし、袋本体１に対して係脱自在とする。尚、図示の場合、袋本体１の四隅に商品載せ部材１８によって覆われない領域が形成され、その各領域は長尺の商品を立てて収容する空間として活用できる。
【００３５】
本発明に係る買物袋は図示した実施の形態に限定されず、本発明の要旨を変更しない範囲で変更可能である。
（１）袋本体の形状は方形に限らず、円形でもよい。
（２）袋本体の上部開口は図示するよう開放型に限らず、開口部にファスナやボタン等を取り付けて閉じるようにしてもよい。
【図面の簡単な説明】
【００３６】
【図１】本発明に係る買物袋の実施の一例を示す斜視図。
【図２】図１の拡大縦断面図。
【図３】袋本体に対する商品載せ部材の取り付け構造を示す斜視図。
【図４】図１の横断平面図
【図５】袋本体の内部に装備する固定手段の構成を示す斜視図。
【図６】（ａ）は長尺な商品を収容する収容部を示す部分斜視図、（ｂ）は固定手段を商品載せ部材側に取り付けた構成を示す平面図。
【図７】商品載せ部材の自由端に可変手段を設けた平面図。
【図８】（ａ）は図７の可変手段によって商品載せ部材を袋本体の上方に架設配置した状態図、（ｂ）は商品載せ部材を袋本体の中程位置に架設配置した状態図。
【図９】（ａ）、（ｂ）は商品載せ部材を二部材で構成した状態を示す平面図。
【図１０】（ａ）、（ｂ）は袋本体に対する商品載せ部材の取り付けの変形例を示す平面図。
【図１１】商品載せ部材の外周縁に落下防止縁を設けた状態を示す斜視図。
【図１２】商品載せ部材の形状の変形例を示す平面図。
【符号の説明】
【００３７】
Ａ…買物袋                        １…袋本体
２，２’…提げ手            ３，１４，１８…商品載せ部材
４…固定手段                      ５…係着手段
１７…落下防止縁                    Ｗ…長尺な商品
Ｙ…商品載せ部材によって覆われていない領域
【図１】
2008132233.tif 000003
【図２】
2008132233.tif 000004
【図３】
2008132233.tif 000005
【図４】
2008132233.tif 000006
【図５】
2008132233.tif 000007
【図６】
2008132233.tif 000008
【図７】
2008132233.tif 000009
【図８】
2008132233.tif 000010
【図９】
2008132233.tif 000011
【図１０】
2008132233.tif 000012
【図１１】
2008132233.tif 000013
【図１２】
2008132233.tif 000014